(57)【特許請求の範囲】
【請求項１】
本体部と、
前記本体部の一端側に設けられた操作部と、を備え、
前記操作部は、
外装を構成する操作部側筐体と、
前記操作部側筐体に配設され、入力操作を受け付ける入力部と、を備え、
前記操作部側筐体は、
使用者の片手によって把持される把持部と、
前記把持部の内側に配置される付勢部材と、を有し、
前記把持部は、
前記片手における１つの指が当接される第１当接部と、
前記片手における前記１つの指とは異なる他の指が当接される第２当接部と、
前記第１当接部及び前記第２当接部とは反対側に位置し、前記片手における所定の部位が当接される第３当接部と、
前記第１当接部と前記第３当接部との間の第１寸法、及び、前記第２当接部と前記第３当接部との間の第２寸法を、それぞれ調整可能な調整部と、を有し、
前記付勢部材は、前記第１寸法及び前記第２寸法を広げる方向に前記把持部を付勢することを特徴とする操作装置。
【請求項２】
請求項１に記載の操作装置において、
前記把持部は、前記第１当接部、前記第２当接部及び前記第３当接部に応じた位置に設けられる弾性部を有し、
前記調整部は、前記弾性部を含んで構成され、
前記第１寸法及び前記第２寸法のそれぞれは、前記把持部が前記片手によって把持されて、前記第１寸法及び前記第２寸法が変動する方向に前記弾性部が弾性変形されることにより調整されることを特徴とする操作装置。
【請求項３】
請求項１又は請求項２に記載の操作装置において、
前記付勢部材は、第１付勢部材及び第２付勢部材を含み、
前記第１付勢部材は、前記第１当接部と前記第３当接部との間に配置され、
前記第２付勢部材は、前記第２当接部と前記第３当接部との間に配置されていることを特徴とする操作装置。
【請求項４】
本体部と、
前記本体部の一端側に設けられた操作部と、を備え、
前記操作部は、
外装を構成する操作部側筐体と、
前記操作部側筐体に配設され、入力操作を受け付ける入力部と、を備え、
前記操作部側筐体は、使用者の片手によって把持される把持部を有し、
前記把持部は、
前記片手における１つの指が当接される第１当接部と、
前記片手における前記１つの指とは異なる他の指が当接される第２当接部と、
前記第１当接部及び前記第２当接部とは反対側に位置し、前記片手における所定の部位が当接される第３当接部と、
前記第１当接部及び前記第２当接部が位置する第１側面部と、
前記第３当接部が位置する第２側面部と、
前記第１当接部と前記第３当接部との間の第１寸法、及び、前記第２当接部と前記第３当接部との間の第２寸法を、それぞれ調整可能な調整部と、を有し、
前記調整部は、前記第１寸法及び前記第２寸法が調整された状態で、前記第１側面部及び前記第２側面部を固定する調整部材を有することを特徴とする操作装置。
【請求項５】
請求項４に記載の操作装置において、
前記第１側面部及び前記第２側面部のうち一方の側面部は、剛性を有し、
前記第１側面部及び前記第２側面部のうち他方の側面部は、前記一方の側面部に近接する方向に変形可能な特性を有することを特徴とする操作装置。
【請求項６】
請求項５に記載の操作装置において、
前記調整部材は、第１調整部材及び第２調整部材を含み、
前記第１調整部材は、前記第１当接部及び前記第３当接部にて前記第１側面部及び前記第２側面部を固定し、
前記第２調整部材は、前記第２当接部及び前記第３当接部にて前記第１側面部及び前記第２側面部を固定することを特徴とする操作装置。
【請求項７】
請求項１から請求項６のいずれか一項に記載の操作装置において、
前記１つの指は、薬指であり、
前記他の指は、小指であり、
前記所定の部位は、拇指球であることを特徴とする操作装置。
【請求項８】
請求項１から請求項７のいずれか一項に記載の操作装置において、
前記入力部は、前記把持部が前記片手によって把持された際に、前記片手における親指が位置する部位に配設され、
前記１つの指及び前記他の指は、前記親指以外の指であることを特徴とする操作装置。
【請求項９】
請求項１から請求項８のいずれか一項に記載の操作装置において、
前記把持部は、当該把持部が前記使用者の手に把持された際に、前記１つの指及び前記他の指に応じた位置に形成された凹部を有することを特徴とする操作装置。
【請求項１０】
請求項１から請求項９のいずれか一項に記載の操作装置において、
前記本体部は、
本体部側筐体と、
前記本体部側筐体に一体化される表示部と、を有し、
前記操作部側筐体及び前記本体部側筐体の一方は、他方に接続される接続部を有し、
前記操作部側筐体と前記本体部側筐体との間で、前記接続部より前記第１当接部側の位置には、隙間が形成されていることを特徴とする操作装置。
【発明の詳細な説明】
【技術分野】
【０００１】
本発明は、操作装置に関する。
【背景技術】
【０００２】
従来、ＰＣ（Personal Computer）やゲーム装置等の情報処理装置に接続され、当該情
報処理装置に操作信号を送信する操作装置が知られている（例えば、特許文献１参照）。
この特許文献１に記載のコントローラー（操作装置）は、使用者の左右の手で把持される左側把持部及び右側把持部と、当該コントローラーの正面に配設された方向ボタン及び操作ボタンとを有する。このうち、方向ボタンは、左側把持部が左手で把持された際の親指に対応する位置に配設され、操作ボタンは、右側把持部が右手で把持された際の親指に対応する位置に配設されている。更に、当該コントローラーは、方向ボタン及び操作ボタンが配設される領域の間に２つのアナログスティックが設けられている。
【先行技術文献】
【特許文献】
【０００３】
【特許文献１】米国特許出願公開第２００９／０１３１１７１号明細書
【発明の概要】
【発明が解決しようとする課題】
【０００４】
ところで、コントローラーの把持しやすさは、当該コントローラーを用いた操作のし易さや、使用者の負担の軽減に繋がる。しかしながら、当該コントローラーを把持する使用者の手の大きさは、年齢や性別等によって異なる。このため、使用者の手の大きさ等に関わらず、把持しやすいコントローラーが要望されてきた。
【０００５】
本発明は、上記課題の少なくとも一部を解決することを目的としたものであり、把持しやすい操作装置を提供することを目的の１つとする。
【課題を解決するための手段】
【０００６】
本発明の第１態様に係る操作装置は、本体部と、前記本体部の一端側に設けられた操作部と、を備え、前記操作部は、外装を構成する操作部側筐体と、前記操作部側筐体に配設され、入力操作を受け付ける入力部と、を備え、前記操作部側筐体は、使用者の片手によって把持される把持部と、前記把持部の内側に配置される付勢部材と、を有し、前記把持部は、前記片手における１つの指が当接される第１当接部と、前記片手における前記１つの指とは異なる他の指が当接される第２当接部と、前記第１当接部及び前記第２当接部とは反対側に位置し、前記片手における所定の部位が当接される第３当接部と、前記第１当接部と前記第３当接部との間の第１寸法、及び、前記第２当接部と前記第３当接部との間の第２寸法を、それぞれ調整可能な調整部と、を有し、前記付勢部材は、前記第１寸法及び前記第２寸法を広げる方向に前記把持部を付勢することを特徴とする。
【０００７】
ここで、操作部の把持部を片手にて把持して操作装置を操作する場合、上記１つの指及び上記他の指と上記所定の部位とによって当該把持部を把持することが考えられる。このような場合、片手が比較的大きな使用者では、上記第１寸法及び上記第２寸法は比較的大きい方が把持部を把持しやすい一方で、片手が比較的小さい使用者では、上記第１寸法及び上記第２寸法は比較的小さい方が把持部を把持しやすい。他方、第１寸法と第２寸法とでは、当該片手の大きさ等により、変化の仕方が一様でない。
これに対し、上記構成によれば、調整部により、使用者の片手の大きさ等に応じて上記第１寸法及び上記第２寸法をそれぞれ調整できる。従って、使用者に適した把持状態を実現できるので、操作装置を把持しやすくすることができ、ひいては、当該操作装置の操作性を向上させることができる。
また、付勢部材により、片手によって把持された際に上記第１寸法及び上記第２寸法が調整された把持部の形状を復元できる。従って、把持部の形状を安定化できる。
【０００８】
上記第１態様では、前記把持部は、前記第１当接部、前記第２当接部及び前記第３当接部に応じた位置に設けられる弾性部を有し、前記調整部は、前記弾性部を含んで構成され、前記第１寸法及び前記第２寸法のそれぞれは、前記把持部が前記片手によって把持されて、前記第１寸法及び前記第２寸法が変動する方向に前記弾性部が弾性変形されることにより調整されることが好ましい。
このような構成によれば、上記第１寸法及び上記第２寸法は、第１〜第３当接部に応じた位置に設けられる弾性部が弾性変形することによって調整される。このため、当該第１寸法及び第２寸法を使用者の手の大きさ等に応じて予め調整することなく、当該手に適合した握り方で把持部を把持できる。従って、当該把持部、ひいては、操作装置を確実かつ簡易に把持しやすくすることができる。
【０００９】
上記第１態様では、前記付勢部材は、第１付勢部材及び第２付勢部材を含み、前記第１付勢部材は、前記第１当接部と前記第３当接部との間に配置され、前記第２付勢部材は、前記第２当接部と前記第３当接部との間に配置されていることが好ましい。
このような構成によれば、第１付勢部材及び第２付勢部材のそれぞれが上記位置に設けられていることにより、上記第１寸法及び上記第２寸法を個別に復元及び調整できる。従って、把持部、ひいては、操作装置をより確実に把持しやすくすることができる。
【００１０】
本発明の第２態様に係る操作装置は、本体部と、前記本体部の一端側に設けられた操作部と、を備え、前記操作部は、外装を構成する操作部側筐体と、前記操作部側筐体に配設され、入力操作を受け付ける入力部と、を備え、前記操作部側筐体は、使用者の片手によって把持される把持部を有し、前記把持部は、前記片手における１つの指が当接される第１当接部と、前記片手における前記１つの指とは異なる他の指が当接される第２当接部と、前記第１当接部及び前記第２当接部とは反対側に位置し、前記片手における所定の部位が当接される第３当接部と、前記第１当接部及び前記第２当接部が位置する第１側面部と、前記第３当接部が位置する第２側面部と、前記第１当接部と前記第３当接部との間の第１寸法、及び、前記第２当接部と前記第３当接部との間の第２寸法を、それぞれ調整可能な調整部と、を有し、前記調整部は、前記第１寸法及び前記第２寸法が調整された状態で、前記第１側面部及び前記第２側面部を固定する調整部材を有することを特徴とする。
【００１１】
ここで、操作部の把持部を片手にて把持して操作装置を操作する場合、上記１つの指及び上記他の指と上記所定の部位とによって当該把持部を把持することが考えられる。このような場合、片手が比較的大きな使用者では、上記第１寸法及び上記第２寸法は比較的大きい方が把持部を把持しやすい一方で、片手が比較的小さい使用者では、上記第１寸法及び上記第２寸法は比較的小さい方が把持部を把持しやすい。他方、第１寸法と第２寸法とでは、当該片手の大きさ等により、変化の仕方が一様でない。
これに対し、上記構成によれば、調整部により、使用者の片手の大きさ等に応じて上記第１寸法及び上記第２寸法をそれぞれ調整できる。従って、使用者に適した把持状態を実現できるので、操作装置を把持しやすくすることができ、ひいては、当該操作装置の操作性を向上させることができる。
また、調整部材によって、第１当接部及び第２当接部が位置する第１側面部と、第３当接部が位置する第２側面部とが、上記第１寸法及び第２寸法が調整された状態で固定される。これによれば、使用者に応じて第１寸法及び第２寸法を予め調整できる。従って、把持部を安定かつ確実に把持しやすくすることができる。
【００１２】
上記第２態様では、前記第１側面部及び前記第２側面部のうち一方の側面部は、剛性を有し、前記第１側面部及び前記第２側面部のうち他方の側面部は、前記一方の側面部に近接する方向に変形可能な特性を有することが好ましい。
このような構成によれば、当該他方の側面部が一方の側面部に近接する方向に変形可能であることから、当該他方の側面部を使用者の片手にフィットさせることができる。従って、把持部の把持し易さを向上させることができる。
【００１３】
上記第２態様では、前記調整部材は、第１調整部材及び第２調整部材を含み、前記第１調整部材は、前記第１当接部及び前記第３当接部にて前記第１側面部及び前記第２側面部を固定し、前記第２調整部材は、前記第２当接部及び前記第３当接部にて前記第１側面部及び前記第２側面部を固定することが好ましい。
このような構成によれば、上記第１寸法及び上記第２寸法のそれぞれを確実に個別に調整できる。従って、把持部を確実に把持しやすくすることができる。
【００１４】
上記第１及び第２態様では、前記１つの指は、薬指であり、前記他の指は、小指であり、前記所定の部位は、拇指球であることが好ましい。
ここで、操作部の把持部を片手により把持して操作装置を操作する場合、薬指及び小指と拇指球とによって把持部を挟持（把持）し、比較的自由に動かすことが可能な親指及び人差し指を入力部の操作に使うことが考えられる。
このような場合に、上記第１寸法及び第２寸法のうち一方の寸法が、薬指と拇指球との間の寸法であり、他方の寸法が、小指と拇指球との間の寸法であることにより、把持部、ひいては、操作装置を確実に把持しやすくすることができる。
【００１５】
上記第１及び第２態様では、前記入力部は、前記把持部が前記片手によって把持された際に、前記片手における親指が位置する部位に配設され、前記１つの指及び前記他の指は、前記親指以外の指であることが好ましい。
このような構成によれば、上記のように、比較的動かしやすい親指を、ボタン等の操作に用いることができる。従って、操作装置の操作性を向上させることができる。
【００１６】
上記第１及び第２態様では、前記把持部は、当該把持部が前記使用者の手に把持された際に、前記１つの指及び前記他の指に応じた位置に形成された凹部を有することが好ましい。
このような構成によれば、上記１つの指及び上記他の指を凹部に添わせることにより、これらの指を把持部にフィットさせやすくすることができる。従って、把持部の把持し易さを向上させることができる。
【００１７】
上記第１及び第２態様では、前記本体部は、本体部側筐体と、前記本体部側筐体に一体化される表示部と、を有し、前記操作部側筐体及び前記本体部側筐体の一方は、他方に接続される接続部を有し、前記操作部側筐体と前記本体部側筐体との間で、前記接続部より前記第１当接部側の位置には、隙間が形成されていることが好ましい。
ここで、上記構成では、本体部の重量には、少なくとも表示部側筐体及び表示部の重量が含まれるので、当該本体部は比較的重くなる。このため、使用者の握力が弱く、上記把持部を握りづらい場合には、使用者の疲労が大きくなる。
これに対し、把持部が上記構成を有することにより、当該把持部を握りやすくなるため、使用者の握力が弱い場合でも、使用者の疲労を軽減できる。
また、操作部側筐体と本体部側筐体との間で、接続部より第１当接部側の位置に隙間が形成されていることにより、第１当接部に当接される指の先端を、当該隙間に入り込ませやすくすることができる。従って、上記１つの指及び上記他の指と、上記所定の部位とにより、把持部を強く把持できる。
【発明の効果】
【００１８】
本発明によれば、上記第１寸法及び上記第２寸法のそれぞれが調整可能となるので、使用者の手の大きさ等に依らずに操作装置を把持しやすくすることができる。
【図面の簡単な説明】
【００１９】
【図１】本発明の第１実施形態に係る情報処理装置を示す斜視図。
【図２】上記第１実施形態における情報処理装置を示す正面図。
【図３】上記第１実施形態における情報処理装置を示す背面図。
【図４】上記第１実施形態における情報処理装置を示す上面図。
【図５】上記第１実施形態における情報処理装置を示す下面図。
【図６】上記第１実施形態における本体部の構成を示すブロック図。
【図７】上記第１実施形態における情報処理装置を示す右側面部。
【図８】上記第１実施形態における情報処理装置を示す左側面部。
【図９】上記第１実施形態における第１把持パターンにて把持された情報処理装置を背面側から見た図。
【図１０】上記第１実施形態における第２把持パターンにて把持された情報処理装置を背面側から見た図。
【図１１】上記第１実施形態における情報処理装置を示す断面図。
【図１２】上記第１実施形態における右側操作部を示す断面図。
【図１３】本発明の第２実施形態に係る情報処理装置の右側操作部を使用者が右手にて把持した状態を示す図。
【図１４】上記第２実施形態における右側操作部の筐体を示す断面図。
【図１５】本発明の第３実施形態に係る情報処理装置の右側操作部を示す断面図。
【図１６】本発明の第４実施形態に係る情報処理装置の右側操作部を示す断面図。
【発明を実施するための形態】
【００２０】
［第１実施形態］
以下、本発明の第１実施形態について、図面に基づいて説明する。
［情報処理装置の概略構成］
図１は、本実施形態に係る情報処理装置１を示す斜視図である。また、図２は、当該情報処理装置１を示す正面図であり、図３は、当該情報処理装置１を示す背面図である。
本実施形態に係る情報処理装置１は、外部機器と通信し、入力操作に応じた操作情報を送信する操作装置としての機能を有する他、入力操作に応じてゲーム等のアプリケーションを独立して実行する機能を有する。すなわち、情報処理装置１は、本発明の操作装置として機能する。
このような情報処理装置１は、図１〜図３に示すように、本体部２と、当該本体部２の右側及び左側に接続された操作部３，４（右側操作部３及び左側操作部４）と、を有し、これら本体部２及び操作部３，４は一体化されている。
【００２１】
なお、以下の説明では、左側操作部４が左側に位置するように情報処理装置１を正面視した際に、当該左側操作部４から右側操作部３に向かう方向を＋Ｘ方向とし、当該＋Ｘ方向に対する直交方向のうち、情報処理装置１の正面に沿って上側に向かう方向を＋Ｙ方向とする。また、情報処理装置１の奥行き方向、すなわち、＋Ｘ方向及び＋Ｙ方向のそれぞれに直交し、かつ、正面側から背面側に向かう方向を＋Ｚ方向とする。そして、図示を省略するが、＋Ｘ方向とは反対側を−Ｘ方向とする。−Ｙ方向及び−Ｚ方向も同様である。
【００２２】
［本体部の構成］
本体部２は、図１及び図２に示すように、表示部２１、音声出力部２２及び制御部２３（図６参照）と、これらを収納する筐体２４と、を有する。なお、制御部２３の構成については、後に詳述する。
表示部２１は、制御部２３から入力される画像情報に応じた画像を表示する。このような表示部２１としては、液晶及び有機ＥＬ（Electro-Luminescence）等の各種表示パネルが例示される。この表示部２１の表示面２１Ａの全面には、タッチパネルＴＰが設けられ、これにより、表示部２１は、タッチスクリーンとしての機能を有する。このタッチパネルＴＰは、入力操作に応じた操作信号を、制御部２３に出力する。このようなタッチパネルＴＰは、後述するボタンＢ１〜Ｂ５及び操作部３，４とともに、情報処理装置１の操作手段を構成する。
【００２３】
ここで、表示部２１は、本体部２における正面の略全てを構成する程度のサイズを有する。このため、使用者が後述する第１把持パターン（図９参照）及び第２把持パターン（図１０参照）のいずれの把持パターンにて右側操作部３及び左側操作部４を把持した場合でも、右手の親指が、表示部２１上に設けられたタッチパネルＴＰ（特に＋Ｘ方向側の領域）に対して入力操作を実施でき、左手の親指が、当該タッチパネルＴＰ（特に−Ｘ方向側の領域）に対して入力操作を実施できる。
音声出力部２２は、スピーカー等を備えて構成され、後述する制御部２３から入力される音声信号に応じた音声を当該スピーカーにより出力する。
【００２４】
筐体２４は、表示部２１を支持するとともに、音声出力部２２及び制御部２３を内部に収納する合成樹脂製の筐体である。この筐体２４は、正面側から見て表示部２１を囲み、かつ、表示部２１の裏面を覆う略直方体形状の筐体本体２５と、当該筐体本体２５から延出する右側延出部２６及び左側延出部２７と、が一体的に形成された構成を有する。
【００２５】
これらのうち、右側延出部２６は、筐体本体２５における＋Ｘ方向側の端縁（後述する右側面部２５Ｒ）の略中央から＋Ｘ方向に延出する腕部２６１と、当該腕部２６１の先端に接続され、ＸＹ平面に沿って腕部２６１より拡大された平面視略長円形状を有する配置部２６２と、を有する。この右側延出部２６は、後述する右側操作部３の一部を構成し、配置部２６２には、後述するアナログコントローラーＢＣ１及びボタンＢＣ２〜ＢＣ５が配設される。
左側延出部２７も、右側延出部２６と同様に、筐体本体２５における−Ｘ方向側の端縁（後述する左側面部２５Ｌ）の略中央から−Ｘ方向に延出する腕部２７１と、当該腕部２７１の先端に接続され、ＸＹ平面に沿って腕部２７１より拡大された配置部２７２と、を有する。この左側延出部２７は、後述する左側操作部４の一部を構成し、配置部２７２には、後述するアナログコントローラーＢＣ１及びボタンＢＣ３〜ＢＣ６が配設される。
【００２６】
筐体本体２５は、正面部２５Ｆ、背面部２５Ｂ、上面部２５Ｕ、下面部２５Ｄ、左側面部２５Ｌ及び右側面部２５Ｒを有する。
正面部２５Ｆには、表示部２１の左右に、上記操作手段を構成するボタンＢ１，Ｂ２が配設されている他、内部に設けられた音声出力部２２のスピーカーからの音声を外部に出力する開口部２５Ｆ１，２５Ｆ２が形成されている。
なお、上記のように、右側面部２５Ｒの略中央から上記右側延出部２６が延出しており、左側面部２５Ｌの略中央から上記左側延出部２７が延出している。
【００２７】
図４は、情報処理装置１を示す上面図である。
上面部２５Ｕにおける−Ｘ方向側には、図４に示すように、情報処理装置１の電源を投入する電源ボタンＢ３と、それぞれ電源の入力状態及び外部との通信状態を示すＬＥＤ（Light Emitting Diode）２５Ｕ１，２５Ｕ２と、が配設されている。また、上面部２５Ｕにおける＋Ｘ方向側には、音量操作用の一対の音量ボタンＢ４，Ｂ５が配設されている。更に、上面部２５Ｕにおける略中央には、外部機器との接続用ケーブル（例えば画像ケーブル）が接続可能な端子２５Ｕ３が配設されている他、当該端子２５Ｕ３を挟むようにスロットＳＬ１，ＳＬ２が配設されている。これらスロットＳＬ１，ＳＬ２は、ＳＩＭ（Subscriber Identity Module）等の通信接続用カードが挿入されるスロットであるが、半導体メモリーカードが挿入されるスロットとしてもよい。なお、ボタンＢ３〜Ｂ５も、上記操作手段を構成する。
【００２８】
図５は、情報処理装置１を示す下面図である。
下面部２５Ｄの略中央には、図５に示すように、上記接続用ケーブルとは異なる仕様のケーブルが接続可能な端子２５Ｄ１が配設されている。また、下面部２５Ｄにおいて端子２５Ｄ１の右側には、ヘッドホンジャックを接続可能な端子２５Ｄ２が配設されている。
【００２９】
図６は、制御部２３の構成を示すブロック図である。
制御部２３は、処理回路が実装された回路基板として構成される。この制御部２３は、上記操作手段から入力される操作信号の他、外部機器からの受信情報に応じて、或いは、自律的に、情報処理装置１全体の動作を制御する。例えば、制御部２３は、上記アプリケーションを実行する他、当該アプリケーションの実行時画面を表示部２１に表示させる。また、制御部２３は、外部機器と通信して、情報を送受信する。
このような制御部２３は、入出力部２３１、通信部２３２、記憶部２３３、描画部２３４及び処理部２３５を有し、これらはバスラインＢＬによって互いに接続されている。
【００３０】
入出力部２３１は、本体部２及び操作部３，４に配設された各構成と電気的に接続され、当該各構成と処理部２３５との間で信号を入出力する入出力チャネルである。
この入出力部２３１は、例えば、上記操作手段の各構成と接続され、当該各構成から入力される操作信号を処理部２３５に出力する。また、処理部２３５から入力され、操作部３，４のモーター３３を駆動させる駆動信号を、当該操作部３，４に出力する。
この他、入出力部２３１は、ＬＥＤ２５Ｕ１，２５Ｕ２及び音声出力部２２と接続され、処理部２３５から入力される制御信号に応じて当該ＬＥＤ２５Ｕ１，２５Ｕ２を点灯させる他、入力される音声信号を上記音声出力部２２に出力する。
更に、入出力部２３１は、処理部２３５による制御の下、上記端子２５Ｕ３，２５Ｄ１を介して外部機器と有線通信し、当該外部機器との間で情報を送受信する。
加えて、入出力部２３１は、処理部２３５による制御の下、上記スロットＳＬ１，ＳＬ２と接続され、これらスロットＳＬ１，ＳＬ２に挿入されたカードに記録された情報を読み取り、読み取った情報を処理部２３５に出力する。
【００３１】
通信部２３２は、それぞれ通信対象との通信方式が異なる第１通信部２３２１及び第２通信部２３２２を有する。
第１通信部２３２１は、処理部２３５による制御の下、上記スロットＳＬ１，ＳＬ２に挿入された通信接続用カードに記憶された接続情報に基づいてネットワークに接続し、当該ネットワーク上のサーバー等との間で情報を送受信する。この第１通信部２３２１は、携帯電話網を利用したネットワーク接続を行う通信モジュールにより構成できる。
第２通信部２３２２は、処理部２３５による制御の下、近距離無線通信方式にて外部機器と無線にて通信し、当該外部機器との間で情報を送受信する。この第２通信部２３２２は、ＩＥＥＥ８０２．１１やＢｌｕｅｔｏｏｔｈ（登録商標）等の規格に準拠した通信方式にて、接続対象となる外部機器と通信する通信モジュールにより構成できる。
このような通信部２３２により受信された情報は、処理部２３５に出力され、処理部２３５から通信部２３２に入力された情報は、当該情報の送信先に応じて第１通信部２３２１又は第２通信部２３２２により当該送信先の外部機器に送信される。
【００３２】
記憶部２３３は、情報処理装置１の動作に必要なプログラム及びデータを記憶している。例えば、記憶部２３３は、処理部２３５が実行するＯＳやアプリケーションを記憶している他、情報処理装置１の使用者に関する使用者情報、当該アプリケーションの実行時に保存されたデータ等を記憶している。また、記憶部２３３は、通信部２３２により受信された情報を記憶する。このような記憶部２３３は、ＲＯＭ（Read Only Memory）及びフラッシュメモリー等の不揮発性メモリーの他、描画部２３４及び処理部２３５の作業領域となるＲＡＭ（Random Access Memory）及びＶＲＡＭ等の揮発性メモリーにより構成されている。なお、記憶部２３３は、当該不揮発性メモリーに代えて、或いは加えて、ＨＤＤ（Hard Disk Drive）及びＳＳＤ（Silicon State Drive）等の大容量記憶装置を有する構成であってもよい。
【００３３】
描画部２３４は、ＧＰＵ（Graphics Processing Unit）を備えて構成され、処理部２３５による制御の下、ＯＳ及びアプリケーションの実行時画面を生成する。例えば、処理部２３５がゲームアプリケーションを実行している場合には、描画部２３４は、当該ゲームアプリケーションに含まれるキャラクターモデル等の描画情報に基づいて、当該ゲームアプリケーションに応じたゲームの実行時画面を描画する。また、処理部２３５が、ブラウザを実行している場合には、描画部２３４は、通信部２３２を介してネットワーク上のサーバー等から取得されるウェブページが含まれる画面を描画する。更に、処理部２３５が、当該サーバー等から配信される画像（静止画及び動画）を閲覧可能なビューアーを実行している場合には、描画部２３４は、当該画像が含まれる画面を描画する。このような描画部２３４により描画された画面は、上記表示部２１に表示される。
【００３４】
処理部２３５は、ＣＰＵ（Central Processing Unit）を備えて構成され、上記記憶部２３３に記憶されたＯＳを処理して、情報処理装置１全体の動作を制御する。また、処理部２３５は、当該記憶部２３３に記憶されたアプリケーションのうち、使用者により選択されたアプリケーションや、ＯＳにより指示されたアプリケーションを実行する。
また例えば、処理部２３５は、入出力部２３１を介して上記操作手段から入力される操作信号に応じた処理を実行する他、上記実行時画面の描画を描画部２３４に指示する。また、処理部２３５は、ＯＳ及びアプリケーションの実行に際して出力する音声の音声信号を生成し、入出力部２３１を介して当該音声信号を音声出力部２２又は端子２５Ｄ２に出力する。
【００３５】
［操作部の構成］
右側操作部３及び左側操作部４は、図１〜５に示すように、それぞれ筐体本体２５の右側及び左側に位置する右側延出部２６及び左側延出部２７を含んで構成され、上記本体部２と一体化されている。これら操作部３，４は、使用者の入力操作に応じた操作信号、すなわち、使用者により操作されるボタンや操作体の操作内容を示す操作信号を本体部２、ひいては、制御部２３に出力する。
【００３６】
［右側操作部の構成］
図７は、情報処理装置１（右側操作部３）を示す右側面部である。
右側操作部３は、図１〜図５及び図７に示すように、＋Ｙ方向側に位置する略角柱形状と、−Ｙ方向側に向かうに従って厚さ寸法が小さくなる略錐形状とを組み合わせたような形状に形成された筐体３１を備える。この筐体３１は、上記右側延出部２６と、当該右側延出部２６と接続されて、右側操作部３における外装を構成する外装構成部３２と、を有する。
右側延出部２６は、筐体３１において正面部３１１と、上面部３１３、左側面部３１４及び右側面部３１５のそれぞれにおける−Ｚ方向側の一部とを構成する。
外装構成部３２は、背面部３１２と、上面部３１３、左側面部３１４及び右側面部３１５のそれぞれにおける＋Ｚ方向側の一部とを構成する。この外装構成部３２における−Ｙ方向側の部位、すなわち、当該外装構成部３２における略錐形状部分は、使用者の右手（詳しくは、薬指、小指及び拇指球）により把持される把持部ＧＰＲである。
すなわち、右側延出部２６は、筐体３１において第１側面部としての正面部３１１の一部を構成する第１筐体構成部に相当し、外装構成部３２は、筐体３１において第２側面部としての背面部３１２を構成する第２筐体構成部に相当する。
【００３７】
正面部３１１には、図１及び図２に示すように、上記のように、アナログコントローラーＢＣ１及び複数のボタンＢＣ２，ＢＣ３が配設されている。
具体的に、アナログコントローラーＢＣ１は、右側延出部２６における腕部２６１と配置部２６２とに跨って配置されている。このアナログコントローラーＢＣ１は、−Ｚ方向に起立する操作子ＢＣ１１が傾倒可能に構成され、当該アナログコントローラーＢＣ１は、操作子ＢＣ１１の傾倒方向及び傾倒量を示す操作信号を出力する。
また、ボタンＢＣ２は、配置部２６２においてアナログコントローラーＢＣ１より＋Ｙ方向側の位置に４つ設けられている。これらボタンＢＣ２の配置位置は、右側操作部３が右手によって把持された際に、当該右手の親指に応じた領域内で、かつ、菱形の頂点に応じた位置にそれぞれ配置されている。
ボタンＢＣ３は、配置部２６２においてボタンＢＣ２より＋Ｙ方向側で、かつ、−Ｘ方向側の位置に配置されている。
【００３８】
上面部３１３には、図４及び図７に示すように、ボタンＢＣ４，ＢＣ５が＋Ｚ方向に沿って直列に配置されている。これらボタンＢＣ４，ＢＣ５のうち、＋Ｚ方向側に位置するボタンＢＣ５は、図示を省略するが、−Ｚ方向側の端縁に設定された＋Ｘ方向に沿う回動軸を中心として回動可能に構成されたトリガー様に構成されている。なお、ボタンＢＣ４は、右側延出部２６の配置部２６２と外装構成部３２とに跨って配置され、ボタンＢＣ５は、外装構成部３２に配置されている。
これらアナログコントローラーＢＣ１及び複数のボタンＢＣ２〜ＢＣ５は、上記操作手段を構成する入力部である。
【００３９】
［左側操作部の構成］
図８は、情報処理装置１（左側操作部４）を示す左側面図である。
左側操作部４は、図１〜図５及び図８に示すように、上記ボタンＢＣ２に代えて方向ボタンＢＣ６を有する他は、右側操作部３と対称構造を有する。具体的に、左側操作部４と右側操作部３とは、方向ボタンＢＣ６と４つのボタンＢＣ２との違いを除いて、本体部２の中央を通り、かつ、＋Ｙ方向に沿う中心線を中心とする対称構造を有する。
【００４０】
この左側操作部４は、図１〜図３に示すように、＋Ｙ方向側に位置する略角柱形状と、−Ｙ方向側に向かうに従って厚さ寸法が小さくなる略錐形状とを組み合わせたような形状に形成された筐体４１を備える。このような筐体４１は、左側延出部２７と、当該左側延出部２７に接続される外装構成部４２と、を備えて構成されている。
左側延出部２７は、図２〜図５及び図８に示すように、正面部４１１と、上面部４１３、左側面部４１４及び右側面部４１５のそれぞれにおける−Ｚ方向側の一部を構成する。また、外装構成部４２は、背面部４１２と、上面部４１３、左側面部４１４及び右側面部４１５のそれぞれにおける＋Ｚ方向側の一部を構成する。なお、外装構成部４２における−Ｙ方向側の部位、すなわち、当該外装構成部４２における略錐形状部分は、使用者の左手（詳しくは、薬指、小指及び拇指球）により把持される把持部ＧＰＬである。
【００４１】
正面部４１１には、図１及び図２に示すように、上記アナログコントローラーＢＣ１が上記腕部２７１と配置部２７２とに跨って配置されている他、＋Ｙ方向側の位置に、４つのキートップを有する方向ボタンＢＣ６とボタンＢＣ３とが配設されている。
上面部４１３には、図４及び図８に示すように、＋Ｚ方向に沿ってボタンＢＣ４，ＢＣ５が直列に配設されている。これらのうち、ボタンＢＣ４は、左側延出部２７の配置部２７２と外装構成部４２とに跨って配置され、ボタンＢＣ５は、外装構成部４２に配置されている。
これらボタンＢＣ２〜ＢＣ６も、上記操作手段を構成する入力部である。
【００４２】
［情報処理装置の把持パターン］
図９は、第１把持パターンにて把持された情報処理装置１を示す背面図である。
ここで、使用者は、情報処理装置１を把持する際には、以下に示す第１把持パターン及び第２把持パターンを取り得る。
第１把持パターンは、図９に示すように、薬指ＲＨ４及び小指ＲＨ５と拇指球ＲＨ６とによって外装構成部３２の把持部ＧＰＲを挟持（把持）した状態で、人差し指ＲＨ２，ＬＨ２を上記ボタンＢＣ４に添わせ、中指ＲＨ３，ＬＨ３を背面部３１２，４１２に添わせるパターンである。この際、図示を省略するが、右手ＲＨの親指ＲＨ１（図１３参照）は、上記ボタンＢＣ２に応じて配置され、左手ＬＨの親指は、上記方向ボタンＢＣ６に応じて配置される。
【００４３】
図１０は、第２把持パターンにて把持された情報処理装置１を示す背面図である。
第２把持パターンは、図８に示すように、上記第１把持パターンにて背面部３１２，４１２に添わされていた中指ＲＨ３，ＬＨ３を上記ボタンＢＣ５に添わせるパターンである。この第２把持パターンでは、他の指及び拇指球の配置は、上記第１把持パターンと同様である。
【００４４】
ここで、図９及び図１０に示したように、把持部ＧＰＲにおける薬指ＲＨ４、小指ＲＨ５及び拇指球ＲＨ６の位置、並びに、把持部ＧＰＬにおける薬指ＬＨ４、小指ＬＨ５及び拇指球ＬＨ６の位置は、第１把持パターン及び第２把持パターンのどちらでも、ほぼ変わらない。このため、右側操作部３の背面部３１２（外装構成部３２）には、図７に示すように、薬指ＲＨ４及び小指ＲＨ５の位置に応じて、正面側に凹む凹部３１２１が形成されている。同様に、左側操作部４の背面部４１２（外装構成部４２）には、図８に示すように、薬指ＬＨ４及び小指ＬＨ５の位置に応じて、正面側に凹む凹部４１２１が形成されている。これら凹部３１２１に薬指ＲＨ４及び小指ＲＨ５を添わせ、凹部４１２１に薬指ＬＨ４及び小指ＬＨ５を添わせることにより、上記各把持パターンにて使用者が情報処理装置１を把持しやすくなる。
なお、背面部３１２，４１２には、上記第１把持パターンにおいて中指ＲＨ３，ＬＨ３が位置する部位にも、正面側に凹む凹部３１２２，４１２２が形成されている。これにより、第１把持パターンにおいて使用者が各操作部３，４、ひいては、情報処理装置１をより安定して把持できる。
【００４５】
［各操作部と本体部との間の隙間］
上記のように、右側操作部３の一部を構成する右側延出部２６と、左側操作部４の一部を構成する左側延出部２７とは、本体部２の筐体本体２５と一体化されている。
これらのうち、右側操作部３の左側面部３１４と筐体本体２５の右側面部２５Ｒとの間で、かつ、本体部２及び右側操作部３を接続する接続部としての腕部２６１に対する＋Ｙ方向側及び−Ｙ方向側には、図９及び図１０に示すように、隙間Ｇ１が形成されている。また、左側操作部４の右側面部４１５と筐体本体２５の左側面部２５Ｌとの間で、かつ、本体部２及び左側操作部４を接続する接続部としての腕部２７１に対する＋Ｙ方向側及び−Ｙ方向側には、隙間Ｇ２が形成されている。特に、＋Ｙ方向及び−Ｙ方向のうち、腕部２６１に対して把持部ＧＰＲを把持した際の薬指ＲＨ４の先端が位置する−Ｙ方向側に隙間Ｇ１が形成され、腕部２７１に対して把持部ＧＰＬを把持した際の薬指ＬＨ４の先端が位置する−Ｙ方向側に隙間Ｇ２が形成されている。
これら隙間Ｇ１，Ｇ２が形成されていることにより、使用者に各操作部３，４を把持することを意識させやすくすることができる。この他、使用者の指（例えば薬指ＲＨ４，ＬＨ４）を上記隙間Ｇ１，Ｇ２に入り込ませることにより、右手ＲＨにて右側操作部３を、左手ＬＨにて左側操作部４を把持しやすくすることができる。
【００４６】
［操作部の内部構造］
図１１は、ＸＺ平面に沿う情報処理装置１の断面を−Ｙ方向側から見た図である。また、図１２は、ＹＺ平面に沿う右側操作部３の断面を＋Ｘ方向側から見た図である。
右側操作部３の筐体３１内には、図１１及び図１２に示すように、上記入出力部２３１を介して処理部２３５から入力される制御信号に応じて駆動されるモーター３３が設けられている。
このモーター３３は、図１２に示すように、モーター本体３３１と、当該モーター本体３３１の駆動によって回転されるスピンドル３３２と、当該スピンドル３３２の端部に偏心して設けられたウェイト３３３と、を有する。
【００４７】
このようなモーター３３は、上記各把持パターンにて把持された右側操作部３を正面側から見た場合に、右手ＲＨの親指の付け根部分に応じた位置に配置され、当該右側操作部３を背面側から見た場合に、右手ＲＨの中指ＲＨ３及び薬指ＲＨ４の間に応じた位置に配置される。換言すると、モーター３３は、図１２に示すように、上記配置部２６２と外装構成部４２により構成される背面部３１２との間に配置されている。
そして、配置部２６２とモーター本体３３１との間には、介装部材Ｍ１が介装され、モーター本体３３１と外装構成部３２との間には、介装部材Ｍ２が介装されている。これら介装部材Ｍ１，Ｍ２は、ゴム等の弾性材料により構成され、介装部材Ｍ１は、配置部２６２とモーター本体３３１とを密着させ、介装部材Ｍ２は、外装構成部３２とモーター本体３３１とを密着させる。これにより、モーター本体３３１が駆動することによって生じた振動は、配置部２６２及び外装構成部３２に伝導される。
【００４８】
［外装構成部と右側延出部との間の隙間］
ここで、把持部ＧＰＲを構成する外装構成部３２は、図１１に示すように、筐体本体２５と腕部２６１を介して一体化された配置部２６２と、正面部３１１、上面部３１３及び右側面部３１５にて接続されている。しかしながら、外装構成部３２における−Ｘ方向側、すなわち、本体部２側の端縁３２Ｌは、右側延出部２６と接続されておらず、筐体本体２５とも接触していない。具体的に、端縁３２Ｌと、当該端縁３２Ｌに−Ｚ方向において対向する腕部２６１との間には、隙間Ｇ３が形成されており、当該端縁３２Ｌは、右側延出部２６及び筐体本体２５と接続されていない。
【００４９】
このような右側操作部３において、右手ＲＨの掌ＲＨ７（図９及び図１０参照）と接触する部分の略全てを構成する外装構成部３２が、＋Ｘ方向側だけでなく−Ｘ方向側においても右側延出部２６及び筐体本体２５の一方と接続されている場合を想定する。
この場合、モーター３３にて発生した振動は、右側延出部２６を介して筐体本体２５に伝導されるだけでなく、外装構成部３２を介して筐体本体２５に伝導される。すなわち、モーター３３にて発生した振動は、各構成に分散されてしまい、上記掌ＲＨ７が触れる外装構成部３２に伝導される振動は弱くなる。
このため、ある程度大きな振動を外装構成部３２に伝導させて、使用者に当該振動を感じさせようとすると、大きな振動を生じさせるモーター（例えば、サイズが大きなモーターやウェイトが大きなモーター）を採用する必要が生じ、情報処理装置の製造コストや、右側操作部３の寸法が大きくなる。特に、筐体本体２５は、表示部２１等が設けられることから外装構成部３２に比べて寸法及び重量が大きいため、筐体本体２５、ひいては、本体部２を振動させようとすると、より大きな振動を発生させるモーターが必要となる。
【００５０】
これに対し、上記隙間Ｇ３を有する情報処理装置１の構成では、モーター３３から配置部２６２に直接伝導された振動は、筐体本体２５に伝導されるものの、当該モーター３３から外装構成部３２に直接伝導された振動は、筐体本体２５に伝導されづらく、掌ＲＨ７に伝導されやすくなる。このため、生じる振動が大きなモーターをモーター３３として採用しなくても、十分に大きな振動を掌ＲＨ７に伝導できる。従って、情報処理装置１の製造コスト及び寸法が大きくなることを抑制できる。
【００５１】
なお、左側操作部４においても同様であり、外装構成部４２は、正面部４１１、左側面部４１４及び上面部４１３において左側延出部２７の配置部２７２と接続されているが、右側面部４１５（＋Ｘ方向側）の端縁４２Ｒは、腕部２７１との間に隙間Ｇ４が形成されるように対向配置されている。このため、当該端縁４２Ｒは、左側延出部２７及び筐体本体２５と接続されていない。
【００５２】
そして、図１１に示したように、左側操作部４の筐体４１内にも、右側操作部３におけるモーター３３の配置位置と同様の位置にモーター４３が配置され、当該モーター４３のモーター本体４３１は、介装部材Ｍ１，Ｍ２と同様の介装部材Ｍ３，Ｍ４を介して配置部２７２及び外装構成部４２と密着している。
このような左側操作部４の構成により、上記右側操作部３と同様に、内部に設けられたモーター４３によって生じた振動を、左手ＬＨの掌ＬＨ７（図９及び図１０参照）と接する部分の略全てを構成する外装構成部４２に効率よく伝導させることができ、上記と同様の効果を奏することができる。
【００５３】
［第１実施形態の効果］
以上説明した本実施形態に係る情報処理装置１によれば、以下の効果がある。
右側操作部３において、外装構成部３２の端縁のうち−Ｘ方向側の端縁３２Ｌと、外装構成部３２が接続される右側延出部２６において当該端縁３２Ｌに対向する腕部２６１との間には、隙間Ｇ３が形成されている。これによれば、上記モーター３３から外装構成部４２に伝導された振動が、右側延出部２６を介して筐体本体２５に伝導されづらくなる。このため、モーター３３により、使用者に接触する外装構成部３２を比較的大きく振動させることができ、当該モーター３３により発生した振動を使用者に効率よく伝導できる。従って、モーター３３として、発生する振動が比較的小さい小型のモーターを採用することができる。左側操作部４も同様の効果を奏することができる。
【００５４】
外装構成部３２は、正面部３１１の一部と背面部３１２とを構成して、使用者によって把持される把持部ＧＰＲを有する。これによれば、モーター３３により発生した振動が伝導される外装構成部３２を使用者に確実に接触させることができる。従って、使用者に確実に振動を感じさせることができる。左側操作部４も同様の効果を奏することができる。
【００５５】
入力部としてのアナログコントローラーＢＣ１及びボタンＢＣ２〜ＢＣ４は、右側延出部２６の配置部２６２に位置する。これによれば、使用者の右手ＲＨの指のうち、把持部ＧＰＲを把持する薬指ＲＨ４及び小指ＲＨ５以外の指（親指ＲＨ１、人差し指ＲＨ２及び中指ＲＨ３）によって、当該入力部に対する入力操作を行いやすくすることができる。従って、操作装置としての機能を有する情報処理装置１の操作性を向上させることができる。左側操作部４も同様の効果を奏することができる。
【００５６】
ここで、外装構成部３２において右側延出部２６に接触しない部位が、当該右側延出部２６の端部（＋Ｘ方向側の端部であり、筐体本体２５とは反対側の端部）である場合、外装構成部３２に伝導された振動が、右側延出部２６を介して筐体本体２５に伝導されやすくなる。このような場合には、外装構成部３２に伝導された振動により、当該外装構成部３２の他、筐体本体２５が振動されるので、外装構成部３２の振動が弱くなる。
これに対し、外装構成部３２における上記端縁３２Ｌとは反対側の端縁（＋Ｘ方向側の端縁であり、筐体本体２５とは反対側の端縁）は、右側延出部２６と接続されている。この右側延出部２６は、筐体本体２５から＋Ｘ方向側に延出した部分であり、換言すると、外装構成部３２が接続される筐体２４は、当該外装構成部３２において上記端縁３２Ｌが位置する−Ｘ方向側に長く形成されている。
このような構成によれば、外装構成部３２における＋Ｘ方向側の端縁は、筐体２４における＋Ｘ方向側の端部と接続されているが、当該端部とは反対側の端縁３２Ｌは、筐体２４と接続されていない。このため、外装構成部３２に伝導された振動を、右側延出部２６から見た延出部分である筐体本体２５に伝導させづらくすることができる。これにより、外装構成部３２を振動させやすくすることができ、当該外装構成部３２に伝導された振動を使用者に伝導させやすくすることができる。従って、発生する振動が小さなモーターがモーター３３として採用できる。左側操作部４も同様の効果を奏することができる。
【００５７】
振動子としてのモーター３３は、右側延出部２６の配置部２６２と、外装構成部３２との間に配置され、当該配置部２６２とモーター３３のモーター本体３３１との間、及び、モーター本体３３１と外装構成部３２との間には、これらの間の隙間を埋める介装部材Ｍ１，Ｍ２が設けられている。これによれば、モーター３３が右側延出部２６及び外装構成部３２によって安定して保持されるので、当該モーター３３の駆動によって生じる振動を外装構成部３２に確実に伝導させることができる。従って、発生する振動が小さなモーターでも当該振動を使用者に確実に伝導させることができる。左側操作部４も同様の効果を奏することができる。
【００５８】
ここで、表示部２１が一体化される本体部側筐体としての筐体本体２５を有する本体部２は、操作部３，４に比べて重い。このため、外装構成部３２において右側延出部２６と接続される端縁が、当該外装構成部３２において筐体本体２５側に位置し、接続されない端縁が筐体本体２５とは反対側に位置している場合には、モーター３３によって発生して外装構成部３２に伝導された振動が、右側延出部２６と接続される筐体本体２５に伝導されやすくなる。このような構成では、発生する振動が大きな振動子を採用しないと、上記のように、第２筐体構成部に接触する使用者が振動を感じにくい。
これに対し、右側延出部２６は、本体部２を構成する筐体２４の筐体本体２５と接続されて一体化されており、隙間Ｇ３を介して腕部２６１と対向する上記端縁３２Ｌは、外装構成部３２において右側操作部３における本体部２側に位置している。
これによれば、上記のように、比較的重い本体部２の筐体本体２５に、外装構成部３２に伝導された振動を伝導させづらくすることができ、当該振動を使用者に伝導させやすくすることができる。従って、操作装置として機能する情報処理装置１が上記構成を有する場合でも、モーター３３によって発生した振動を使用者に確実に伝導させることができるので、発生する振動が小さなモーターをモーター３３として採用できる。左側操作部４でも同様の効果を奏することができる。
【００５９】
右側操作部３及び左側操作部４は、本体部２において＋Ｘ方向側及び−Ｘ方向側のそれぞれの端部に設けられている。これによれば、使用者の両手で情報処理装置１を把持して操作できるので、当該情報処理装置１の操作性を向上できる。また、各操作部３，４に異なる種別のボタン等の入力部を配設できる他、更に多くの入力部を設けることが可能となるので、情報処理装置１の汎用性を向上させることができる。
【００６０】
把持部ＧＰＲには、当該把持部ＧＰＲを把持する薬指ＲＨ４及び小指ＲＨ５に応じた位置に形成された凹部３１２１が形成されている。これによれば、薬指ＲＨ４及び小指ＲＨ５を当該凹部３１２１に添わせることにより、これらの指ＲＨ４，ＲＨ５を把持部ＧＰＲにフィットさせやすくすることができる。従って、把持部ＧＰＲの把持し易さを向上させることができる。左側操作部４においても同様である。
【００６１】
本体部２と右側操作部３との間で、かつ、これらを接続する接続部としての腕部２６１に対して薬指ＲＨ４の先端が位置する−Ｙ方向側には隙間Ｇ１が形成されている。また、本体部２と左側操作部４との間で、かつ、これらを接続する接続部としての腕部２７１に対して薬指ＬＨ４の先端が位置する−Ｙ方向側には隙間Ｇ２が形成されている。
これによれば、把持部ＧＰＲ，ＧＰＬを各手ＲＨ，ＬＨが把持する場合に、薬指ＲＨ４，ＬＨ４を、対応する隙間Ｇ１，Ｇ２に入り込ませやすくすることができ、各把持部ＧＰＲ，ＧＰＬを強く把持できる。従って、表示部２１等が筐体２４（筐体本体２５）により一体化された本体部２を備えることから比較的重い情報処理装置１を把持しやすくすることができるので、握力が小さい使用者であっても疲労感を軽減できる。
【００６２】
［第２実施形態］
次に、本発明の第２実施形態について説明する。
本実施形態に係る情報処理装置は、上記情報処理装置１と同様の構成を有するが、右側操作部３及び左側操作部４の各筐体の構成が、当該情報処理装置１と相違する。なお、以下の説明では、既に説明した部分と同一又は略同一である部分については、同一の符号を付して説明を省略する。
【００６３】
図１３は、本実施形態に係る情報処理装置１Ａの右側操作部３を上記第２把持パターンにて右手ＲＨで把持した際の当該情報処理装置１Ａを示す左側面図である。換言すると、図１３は、上記第２把持パターンにて右手ＲＨにより右側操作部３が把持された情報処理装置１Ａを−Ｘ方向側（すなわり左側）から見た図である。
本実施形態に係る情報処理装置１Ａは、上記情報処理装置１と同様に、本体部２、右側操作部３及び左側操作部４を備える。
【００６４】
ここで、右側操作部３及び左側操作部４を把持する右手ＲＨ及び左手ＬＨの大きさには、年齢及び性別等によって個人差がある。
これに対し、図１３に示すように、例えば右手ＲＨの薬指ＲＨ４及び小指ＲＨ５と拇指球ＲＨ６とによって上記把持部ＧＰＲが挟持される場合に、薬指ＲＨ４と拇指球ＲＨ６との間の＋Ｚ方向に沿う寸法Ｌ１（第１寸法に相当）、及び、小指ＲＨ５と拇指球ＲＨ６との間のＺ方向に沿う寸法Ｌ２（第２寸法に相当）が、使用者の右手ＲＨにとって適切な値であれば、右手ＲＨにより当該把持部ＧＰＲを把持しやすくなる。
【００６５】
具体的に、右側操作部３の背面部３１２において薬指ＲＨ４が当接され、当該薬指ＲＨ４によって押圧力が作用される部位を第１当接部ＣＰ１とする。また、背面部３１２において小指ＲＨ５が当接され、当該小指ＲＨ５によって押圧力が作用される部位を第２当接部ＣＰ２とする。更に、正面部３１１において拇指球ＲＨ６が当接され、当該拇指球ＲＨ６によって押圧力が作用される部位を第３当接部ＣＰ３とする。そして、第１当接部ＣＰ１と第３当接部ＣＰ３との間の寸法Ｌ１、及び、第２当接部ＣＰ２と第３当接部ＣＰ３との間の寸法Ｌ２が、右手ＲＨに応じて調整可能であれば当該右手ＲＨにより把持部ＧＰＲを把持しやすくなる。なお、これら寸法Ｌ１，Ｌ２が右手ＲＨの大きさ等に基づいて適切に設定されている場合には、各当接部ＣＰ１〜ＣＰ３の外装構成部３２Ａにおける位置は、手の大きさに依らずに略同じ位置となる。
これらのことは、左側操作部４についても同様のことが言える。
特に、表示部２１等が筐体本体２５により一体化された本体部２は比較的重いことから、使用者（特に握力が弱い使用者）にとって右側操作部３及び左側操作部４を把持しやすいこと、更には、各操作部３，４を強く握れることは、操作だけでなく疲労の観点からも重要なことである。
【００６６】
図１４は、右側操作部３を構成する筐体３１ＡのＹＺ平面に沿う断面図である。なお、図１４においては、右側操作部３において筐体３１Ａ以外の構成についての図示を省略している。
このような課題に対して、本実施形態に係る情報処理装置１Ａの右側操作部３は、筐体３１に代えて筐体３１Ａを有し、当該筐体３１Ａは、右側延出部２６の他、上記寸法Ｌ１，Ｌ２を調整可能に構成された外装構成部３２Ａを上記外装構成部３２に代えて有する筐体３１Ａを備える。
なお、当該筐体３１Ａの一部を構成する右側延出部２６の構成、及び、筐体３１Ａ以外の右側操作部３の構成は、上記第１実施形態にて示した右側操作部３と同様である。例えば、配置部２６２及び外装構成部３２Ａは、内面にて介装部材Ｍ１，Ｍ２を介して上記モーター本体３３１と接続されており、外装構成部３２Ａにおける−Ｘ方向側の端部と、右側延出部２６（腕部２６１）との間には、上記隙間Ｇ３が形成されている。
【００６７】
外装構成部３２Ａは、上記外装構成部３２と同様の形状を有する。この外装構成部３２Ａにおける−Ｙ方向側の端部は、筐体３１Ａにおいて右手ＲＨの薬指ＲＨ４、小指ＲＨ５、拇指球ＲＨ６及び掌ＲＨ７と接触する上記第１〜第３当接部ＣＰ１〜ＣＰ３が設定されて、各指ＲＨ４，ＲＨ５及び拇指球ＲＨ６によって把持される把持部ＧＰＲである。
なお、外装構成部３２Ａにおいて薬指ＲＨ４及び小指ＲＨ５に応じた位置には、上記凹部３１２１と同様の凹部３１Ａ１が形成されている。
このような外装構成部３２Ａは、外郭部３２Ａ１と、当該外郭部３２Ａ１によって被覆される内郭部３２Ａ２と、を有する。なお、外装構成部３２Ａは、例えば二色成形によって形成できるが、それぞれ別の材料により形成された外郭部３２Ａ１及び内郭部３２Ａ２を組み合わせて構成することも可能である。
【００６８】
外郭部３２Ａ１は、エラストマー等の弾性材料により形成された弾性部であり、薬指ＲＨ４及び小指ＲＨ５と拇指球ＲＨ６とによって挟持された際に、弾性変形可能に構成されている。
内郭部３２Ａ２は、外郭部３２Ａ１より剛性が高い合成樹脂により筒状に形成されている。すなわち、外装構成部３２Ａの形状は、主に内郭部３２Ａ２によって形成される。
このような外装構成部３２Ａの把持部ＧＰＲが右手ＲＨによって把持された場合、弾性材料により形成された外郭部３２Ａ１は、薬指ＲＨ４及び小指ＲＨ５と、拇指球ＲＨ６とにより挟持されて弾性変形し、これにより、上記寸法Ｌ１，Ｌ２が変化する（短くなる）。この際、薬指ＲＨ４による押圧力と、小指ＲＨ５による押圧力とに応じて、当該寸法Ｌ１，Ｌ２は、それぞれ独立して変化する。このように、当該寸法Ｌ１，Ｌ２のそれぞれが独立して調整可能となり、右手ＲＨの大きさや握力等に応じて寸法Ｌ１，Ｌ２が短くなることで、把持部ＧＰＲ、ひいては、右側操作部３を把持しやすくすることができる。すなわち、本実施形態において外郭部３２Ａ１は、上記寸法Ｌ１，Ｌ２のそれぞれを個別に調整可能な調整部ＡＰ１を構成する。
【００６９】
また、図示を省略するが、本実施形態における左側操作部４も、筐体４１に代えて、左側延出部２７と、上記外装構成部３２Ａと同様の構成を有する外装構成部とを有する筐体を備える。
このような左側操作部４では、左手ＬＨの薬指ＬＨ４と拇指球ＬＨ６との間の寸法、及び、小指ＬＨ５と拇指球ＬＨ６との間の寸法のそれぞれが独立して調整可能である。そして、左手ＬＨにて左側操作部４（把持部ＧＰＬ）を把持する際に、当該左手ＬＨの大きさや握力等に応じて上記寸法Ｌ１，Ｌ２に応じた寸法が短くなることにより、当該把持部ＧＰＬを把持しやすくすることができる。
【００７０】
なお、本実施形態では、外郭部３２Ａ１が変形しても、内郭部３２Ａ２は略変形しない構成となっている。しかしながら、このような構成に限らず、内郭部３２Ａ２に可撓性を持たせ、当該内郭部３２Ａ２が外郭部３２Ａ１とともに撓むことによって、上記寸法Ｌ１，Ｌ２の調整可能量を拡大してもよい。この場合、外郭部３２Ａ１及び内郭部３２Ａ２は、上記調整部を構成する。更に、このような場合には、内郭部３２Ａ２は、複数の環状体により構成し、薬指及び拇指球の間に位置する環状体と、小指及び拇指球の間に位置する他の環状体とが、独立して撓む構成としてもよい。
【００７１】
［第２実施形態の効果］
以上説明した本実施形態に係る情報処理装置１Ａによれば、上記情報処理装置１と同様の効果を奏することができる他、以下の効果を奏することができる。
右側操作部３を右手ＲＨにて把持して情報処理装置１Ａを操作する場合、薬指ＲＨ４及び小指ＲＨ５と拇指球ＲＨ６とによって当該把持部ＧＰＲを把持することが考えられる。このような場合、手が比較的大きな使用者では、上記寸法Ｌ１，Ｌ２は大きい方が把持部ＧＰＲを把持しやすい一方で、手が比較的小さい使用者では、上記寸法Ｌ１，Ｌ２は小さい方が把持部ＧＰＲを把持しやすい。他方、寸法Ｌ１，Ｌ２では、当該手の大きさ等により、変化の仕方が一様でない。
これに対し、調整部ＡＰ１を構成する外郭部３２Ａ１が弾性変形することにより、使用者の手の大きさ等に応じて上記寸法Ｌ１，Ｌ２をそれぞれ個別に調整できる。従って、使用者に適した把持状態を実現できるので、操作装置としての機能を有する情報処理装置１Ａを把持しやすくすることができ、これにより、当該情報処理装置１Ａの操作性を向上させることができる。左側操作部４においても同様の効果を奏することができる。
【００７２】
右側操作部３の把持部ＧＰＲを右手ＲＨにより把持して情報処理装置１Ａを操作する際に、把持部ＧＰＲは、薬指ＲＨ４及び小指ＲＨ５と拇指球ＲＨ６とによって挟持される。これによれば、比較的自由に動かすことが可能な親指ＲＨ１、人差し指ＲＨ２及び中指ＲＨ３を用いてボタン等の操作を行うことができる。従って、情報処理装置１Ａを操作しやすくすることができる。
また、薬指ＲＨ４と拇指球ＲＨ６との間の寸法Ｌ１、及び、小指ＲＨ５と拇指球ＲＨ６との間の寸法Ｌ２が調整可能であることから、把持部ＧＰＲ、ひいては、情報処理装置１Ａを確実に把持しやすくすることができる。左側操作部４においても同様の効果を奏することができる。
【００７３】
把持部ＧＰＲは、第１当接部ＣＰ１、第２当接部ＣＰ２及び第３当接部ＣＰ３が位置する弾性部としての外郭部３２Ａ１を有し、上記寸法Ｌ１，Ｌ２のそれぞれは、把持部ＧＰＲが右手ＲＨによって把持されて、外郭部３２Ａ１が±Ｚ方向に弾性変形することによって調整される。これによれば、寸法Ｌ１，Ｌ２を使用者の右手ＲＨの大きさ等に応じて予め調整することなく、当該右手ＲＨに適合した握り方で把持部ＧＰＲを把持できる。従って、把持部ＧＰＲ、ひいては、情報処理装置１Ａを確実かつ簡易に把持しやすくすることができる。左側操作部４においても同様である。
【００７４】
把持部ＧＰＲが右手ＲＨによって把持された際に、親指ＲＨ１が位置する部位に入力部としてのアナログコントローラーＢＣ１及びボタンＢＣ２，ＢＣ３が配設され、人差し指ＲＨ２及び中指ＲＨ３が位置する部位にボタンＢＣ４，ＢＣ５が配設されている。そして、把持部ＧＰＲは、親指ＲＨ１以外の指である薬指ＲＨ４及び小指ＲＨ５と拇指球ＲＨ６によって挟持（把持）される。これによれば、比較的動かしやすい親指ＲＨ１、人差し指ＲＨ２及び中指ＲＨ３を当該アナログコントローラーＢＣ１及びボタンＢＣ２〜ＢＣ５の操作に用いることができる。従って、情報処理装置１Ａの操作性を向上させることができる。左側操作部４においても同様である。
【００７５】
筐体本体２５と右側操作部３及び左側操作部４とを接続する接続部としての腕部２６１，２７１に対する−Ｙ方向側（第１当接部ＣＰ１側）に、上記隙間Ｇ１，Ｇ２が形成されていることにより、当該隙間Ｇ１，Ｇ２に薬指ＲＨ４，ＬＨ４を入り込ませやすくなるので、上記のように、把持部ＧＰＲ，ＧＰＬを強く把持できる。これとともに、調整部ＡＰ１を構成する外郭部３２Ａ１が弾性変形することにより、把持部ＧＰＲ，ＧＰＬを確実に強く把持できる。従って、比較的握力が弱い使用者でも、情報処理装置１Ａを一層操作しやすくすることができ、より疲労感を軽減できる。
【００７６】
ここで、親指ＲＨ１，ＬＨ１を延ばす場合には、把持部ＧＰＲ，ＧＰＬを把持する各手ＲＨ，ＬＨの力が無意識に高まる。このような状態で外郭部３２Ａ１が弾性変形することにより、親指ＲＨ１，ＬＨ１の自由度を向上させることができ、当該親指ＲＨ１，ＬＨ１の可動範囲を広げることができる。このため、親指ＲＨ１，ＬＨ１によって上記タッチパネルＴＰ（特に＋Ｘ方向側の領域及び−Ｘ方向側の領域）に対して入力操作を行う際に、当該タッチパネルＴＰに親指ＲＨ１，ＬＨ１を届かせやすくすることができる。従って、操作装置としても機能する情報処理装置１の操作性を一層向上させることができる。
【００７７】
［第３実施形態］
次に、本発明の第３実施形態について説明する。
本実施形態に係る情報処理装置は、上記情報処理装置１Ａと同様の構成及び機能を有するが、右側操作部３及び左側操作部４のそれぞれの筐体の構成が異なる点で、当該情報処理装置１Ａと相違する。なお、以下の説明では、既に説明した部分と同一又は略同一である部分については、同一の符号を付して説明を省略する。
【００７８】
図１５は、本実施形態に係る情報処理装置１Ｂが有する右側操作部３を構成する筐体３１ＡのＹＺ平面に沿う断面図である。なお、図１５においては、右側操作部３において筐体３１Ａ以外の構成についての図示を省略している。
本実施形態に係る情報処理装置１Ｂは、上記情報処理装置１と同様に、本体部２、右側操作部３及び左側操作部４を備える。
右側操作部３は、本実施形態では、図１５に示すように、筐体３１に代えて筐体３１Ｂを有し、当該筐体３１Ｂは、右側延出部２６及び外装構成部３２Ｂを有する。なお、当該右側延出部２６の構成、及び、筐体３１Ｂ以外の右側操作部３の構成は、上記第１実施形態にて示した右側操作部３と同様である。
【００７９】
外装構成部３２Ｂは、上記外装構成部３２，３２Ａと同様の形状を有し、正面部３１１、上面部３１３及び右側面部３１５にて配置部２６２と接続される。この外装構成部３２Ｂは、正面側（−Ｚ方向側）に位置する正面部３２Ｂ１と、背面側（＋Ｚ方向側）に位置する背面部３２Ｂ４と、これら正面部３２Ｂ１及び背面部３２Ｂ４を固定する固定部３２Ｂ７と、２つの付勢部材３２Ｂ８，３２Ｂ９と、を有する。
正面部３２Ｂ１及び背面部３２Ｂ４は、それぞれ弾性材料（例えばエラストマー）により形成されている。すなわち、正面部３２Ｂ１は＋Ｚ方向への押圧力により、背面部３２Ｂ４は−Ｚ方向への押圧力により、それぞれ弾性変形可能に構成されている。すなわち、本実施形態において正面部３２Ｂ１及び背面部３２Ｂ４は、上記寸法Ｌ１，Ｌ２のそれぞれを個別に調整可能な調整部ＡＰ２を構成する。
なお、外装構成部３２Ｂにおいて薬指ＲＨ４及び小指ＲＨ５に応じた位置には、上記凹部３１２１と同様の凹部３１Ｂ１が形成されている。
【００８０】
この正面部３２Ｂ１において背面部３２Ｂ４に対向する面には、２つの凹部３２Ｂ２，３２Ｂ３が、外装構成部３２Ｂにより構成される把持部ＧＰＲが右手ＲＨにより把持された際の拇指球ＲＨ６に応じた位置に形成されている。
また、背面部３２Ｂ４において正面部３２Ｂ１に対向する面には、２つの凹部３２Ｂ５，３２Ｂ６が、当該把持部ＧＰＲが右手ＲＨにより把持された際の薬指ＲＨ４及び小指ＲＨ５に応じた位置に形成されている。
すなわち、これら凹部３２Ｂ２，３２Ｂ３，３２Ｂ５，３２Ｂ６は、中空の略錐形状に形成された把持部ＧＰＲの内面に位置している。
【００８１】
付勢部材３２Ｂ８，３２Ｂ９は、把持部ＧＰＲ内に配置される。
具体的に、付勢部材３２Ｂ８は、一端が凹部３２Ｂ２内に配置され、他端が凹部３２Ｂ５内に配置される。このため、付勢部材３２Ｂ８は、薬指ＲＨ４が当接される第１当接部ＣＰ１と、拇指球ＲＨ６が当接される第３当接部ＣＰ３との間に、＋Ｚ方向に沿って配置される。
また、付勢部材３２Ｂ９は、一端が凹部３２Ｂ３内に配置され、他端が凹部３２Ｂ６内に配置される。このため、付勢部材３２Ｂ９は、小指ＲＨ５が当接される第２当接部ＣＰ２と、拇指球ＲＨ６が当接される第３当接部ＣＰ３との間に、＋Ｚ方向に沿って配置される。
【００８２】
これら付勢部材３２Ｂ８，３２Ｂ９は、正面部３２Ｂ１及び背面部３２Ｂ４が互いに離間する方向への付勢力を作用させる。すなわち、付勢部材３２Ｂ８，３２Ｂ９は、それぞれ弾性部材である正面部３２Ｂ１及び背面部３２Ｂ４が、右手ＲＨにより把持されて互いに近接する方向に弾性変形した際に、当該弾性変形に抗する付勢力を正面部３２Ｂ１及び背面部３２Ｂ４に作用させる。
【００８３】
これら付勢部材３２Ｂ８，３２Ｂ９により、把持部ＧＰＲの形状が維持される。また、付勢部材３２Ｂ８，３２Ｂ９がそれぞれ独立したダンパーとして機能し、把持部ＧＰＲに対して拇指球ＲＨ６と薬指ＲＨ４とにより作用される挟持力、及び、拇指球ＲＨ６と小指ＲＨ５とにより作用される挟持力に応じて当該把持部ＧＰＲが適度に変形することにより、上記寸法Ｌ１，Ｌ２をそれぞれ独立して調整可能となる。従って、使用者の右手ＲＨの大きさ等に依らずに、把持部ＧＰＲを適切に把持できる。
このような付勢部材３２Ｂ８，３２Ｂ９として、本実施形態では、圧縮コイルばねが採用されている。しかしながら、これに限らず、付勢部材３２Ｂ８，３２Ｂ９は、上記付勢力を作用させることができれば、他の構成であってもよく、弾性材料等の他の材料により形成されていてもよい。この場合、弾性材料により形成された正面部３２Ｂ１及び背面部３２Ｂ４とは異なる弾性力を有する弾性材料により形成されていてもよい。
【００８４】
なお、図示を省略するが、本実施形態における左側操作部４も、上記筐体４１に代えて上記筐体３１Ｂと同様の筐体を有する。
これにより、左手ＬＨの薬指ＬＨ４と拇指球ＬＨ６との間の寸法、及び、小指ＬＨ５と拇指球ＬＨ６との間の寸法がそれぞれ独立して調整可能となる。そして、左手ＬＨにて左側操作部４（把持部ＧＰＬ）を把持する際に、左手ＬＨの大きさや握力等に応じて上記寸法Ｌ１，Ｌ２に応じた寸法が短くなることにより、当該左側操作部４（把持部ＧＰＬ）を把持しやすくすることができる。
【００８５】
［第３実施形態の効果］
以上説明した本実施形態に係る情報処理装置１Ｂによれば、上記情報処理装置１Ａと同様の効果を奏することができる他、以下の効果を奏することができる。
右側操作部３は、把持部ＧＰＲの内側に配置される付勢部材３２Ｂ８，３２Ｂ９を有し、当該付勢部材３２Ｂ８，３２Ｂ９は、上記寸法Ｌ１，Ｌ２を広げる方向に把持部ＧＰＲを内側から付勢する。これによれば、右手ＲＨによって把持されて上記寸法Ｌ１，Ｌ２が調整された把持部ＧＰＲの形状を復元できる。従って、把持部ＧＰＲの形状を安定化できる。左側操作部４においても同様である。
【００８６】
付勢部材３２Ｂ８が第１当接部ＣＰ１と第３当接部ＣＰ３との間に配置され、付勢部材３２Ｂ９が第２当接部ＣＰ２と第３当接部ＣＰ３との間に配置されていることにより、上記寸法Ｌ１，Ｌ２を個別に復元及び調整できる。従って、把持部ＧＰＲ、ひいては、情報処理装置１Ｂをより確実に把持しやすくすることができる。左側操作部４においても同様である。
【００８７】
［第４実施形態］
以下、本発明の第４実施形態について説明する。
本実施形態に係る情報処理装置は、上記情報処理装置１Ａ，１Ｂと同様の構成及び機能を有するが、右側操作部３及び左側操作部４のそれぞれの筐体の構成が異なる点で、当該情報処理装置１Ａ，１Ｂと相違する。なお、以下の説明では、既に説明した部分と同一又は略同一である部分については、同一の符号を付して説明を省略する。
【００８８】
図１６は、本実施形態に係る情報処理装置１Ｃが有する右側操作部３を構成する筐体３１ＣのＹＺ平面に沿う断面図である。なお、図１６においては、右側操作部３において筐体３１Ｃ以外の構成についての図示を省略している。
本実施形態に係る情報処理装置１Ｃは、上記情報処理装置１と同様に、本体部２、右側操作部３及び左側操作部４を備える。
右側操作部３は、本実施形態では、図１５に示すように、筐体３１に代えて筐体３１Ｃを有し、当該筐体３１Ｃは、右側延出部２６及び外装構成部３２Ｃを有する。なお、当該右側延出部２６の構成、及び、筐体３１Ｂ以外の右側操作部３の構成は、上記第１実施形態にて示した右側操作部３と同様である。
【００８９】
外装構成部３２Ｃは、上記外装構成部３２，３２Ａ，３２Ｂと同様の形状を有し、当該外装構成部３２Ｃにおける−Ｙ方向側の略錐形状部分は、薬指ＲＨ４及び小指ＲＨ５と拇指球ＲＨ６とにより挟持（把持）される把持部ＧＰＲとして構成されている。
この外装構成部３２Ｃは、正面側（−Ｚ方向側）に位置する正面部３２Ｃ１（第１側面部）と、背面側（＋Ｚ方向側）に位置する背面部３２Ｃ６（第２側面部）と、これらの間の寸法を調整して固定する調整部材としてのねじＳＣ１，ＳＣ２と、を有する。
【００９０】
これらのうち、背面部３２Ｃ６は、合成樹脂等により形成され、正面部３２Ｃ１に比べて剛性（強度）が高い。この背面部３２Ｃ６の外面において薬指ＲＨ４及び小指ＲＨ５に応じた位置には、上記凹部３１２１と同様の凹部３１Ｃ１が形成されている。
また、背面部３２Ｃ６において正面部３２Ｃ１と対向する面には、正面側（−Ｚ方向側）に起立する２つのボス３２Ｃ７，３２Ｃ９が立設されている。これらのうち、ボス３２Ｃ７は、把持部ＧＰＲが把持された際の薬指ＲＨ４に応じた位置（薬指ＲＨ４により押圧力が作用される位置）に配置されている。また、ボス３２Ｃ７に対して−Ｙ方向側に位置するボス３２Ｃ９は、当該把持部ＧＰＲが把持された際の小指ＲＨ５に応じた位置（小指ＲＨ５により押圧力が作用される位置）に配置されている。
これらボス３２Ｃ７，３２Ｃ９の先端には、それぞれ、ねじ孔３２Ｃ８，３２ＣＡが形成されている。
【００９１】
正面部３２Ｃ１は、エラストマー等の弾性部材により構成されている。この正面部３２Ｃ１は、上記ボス３２Ｃ７，３２Ｃ９に応じた位置に、背面部３２Ｃ６側に凹む凹部３２Ｃ２，３２Ｃ４を有する。詳述すると、凹部３２Ｃ２は、ボス３２Ｃ７の中心軸上で、かつ、−Ｚ方向側に位置し、凹部３２Ｃ４は、ボス３２Ｃ９の中心軸上で、かつ、−Ｚ方向側に位置する。
そして、凹部３２Ｃ２の底部分に形成された孔部３２Ｃ３には、上記ねじＳＣ１のねじ胴部ＳＣ１１が挿通され、凹部３２Ｃ４の底部分に形成された孔部３２Ｃ５には、上記ねじＳＣ２のねじ胴部ＳＣ２１が挿通される。各ねじ胴部ＳＣ１１，ＳＣ２１は、孔部３２Ｃ３，３２Ｃ５を挿通した後、上記ねじ孔３２Ｃ８，３２ＣＡに螺合する。
なお、この状態では、各ねじＳＣ１，ＳＣ２の頭部ＳＣ１２，ＳＣ２２は、対応する凹部３２Ｃ２，３２Ｃ４内に収納される。
【００９２】
このような外装構成部３２Ｃでは、薬指ＲＨ４に応じた位置のボス３２Ｃ７へのねじＳＣ１の挿入量、及び、小指ＲＨ５に応じた位置のボス３２Ｃ９へのねじＳＣ２の挿入量を調整することにより、上記寸法Ｌ１，Ｌ２のそれぞれを独立して調整できる。
そして、当該寸法Ｌ１，Ｌ２が調整された外装構成部３２Ｃの把持部ＧＰＲを使用者が右手ＲＨにて把持することにより、当該右手ＲＨの大きさや握力に依らずに、把持部ＧＰＲを把持しやすくすることができる。
すなわち、本実施形態において、正面部３２Ｃ１、背面部３２Ｃ６及びねじＳＣ１，ＳＣ２は、上記寸法Ｌ１，Ｌ２のそれぞれを個別に調整可能な調整部ＡＰ３を構成する。
【００９３】
なお、図示を省略するが、本実施形態における左側操作部４も、上記筐体４１に代えて上記筐体３１Ｃと同様の筐体を有する。
これにより、左手ＬＨの薬指ＬＨ４と拇指球ＬＨ６との間の寸法、及び、小指ＬＨ５と拇指球ＬＨ６との間の寸法がそれぞれ独立して調整可能となる。そして、左手ＬＨにて左側操作部４（把持部）を把持する際に、当該左手ＬＨの大きさや握力等に応じて当該寸法を予め調整しておくことにより、当該左側操作部４（把持部ＧＰＬ）を把持しやすくすることができる。
【００９４】
［第４実施形態の効果］
以上説明した本実施形態に係る情報処理装置１Ｃによれば、上記情報処理装置１Ａと同様の効果を奏することができる他、以下の効果を奏することができる。
把持部ＧＰＲは、第１当接部ＣＰ１及び第２当接部ＣＰ２が位置する背面部３２Ｃ６（第１側面部）と、第３当接部ＣＰ３が位置する正面部３２Ｃ１（第２側面部）と、を有し、寸法Ｌ１，Ｌ２が調整された状態で、正面部３２Ｃ１及び背面部３２Ｃ６が、調整部材としてのねじＳＣ１，ＳＣ２により固定される。これによれば、使用者の右手ＲＨの大きさや握力に応じて寸法Ｌ１，Ｌ２を予め調整できる。従って、把持部ＧＰＲを安定かつ確実に把持しやすくすることができる。左側操作部４についても同様である。
【００９５】
正面部３２Ｃ１は、背面部３２Ｃ６に近接する方向に変形可能な弾性を有し、背面部３２Ｃ６は、剛性を有する。これによれば、正面部３２Ｃ１が弾性変形することにより、当該正面部３２Ｃ１を使用者の右手ＲＨにフィットさせることができる。従って、把持部ＧＰＲの把持し易さを向上させることができる。
【００９６】
調整部材としてのねじＳＣ１，ＳＣ２のうち、ねじＳＣ１は、第１当接部ＣＰ１及び第３当接部ＣＰ３にて正面部３２Ｃ１と背面部３２Ｃ６とを固定し、ねじＳＣ２は、第２当接部及び第３当接部ＣＰ３にて正面部３２Ｃ１と背面部３２Ｃ６とを固定する。これによれば、上記寸法Ｌ１，Ｌ２のそれぞれを確実に個別に調整できる。従って、把持部ＧＰＲを確実に把持しやすくすることができる。左側操作部４の把持部ＧＰＬも同様である。
【００９７】
［実施形態の変形］
本発明は、上記実施形態に限定されるものではなく、本発明の目的を達成できる範囲での変形、改良等は本発明に含まれるものである。
上記各実施形態では、本体部２の右側（＋Ｘ方向側）に右側操作部３が位置し、当該本体部２の左側（−Ｘ方向側）に左側操作部４が位置するとした。しかしながら、本発明はこれに限らない。すなわち、右側操作部３及び左側操作部４のうち、一方のみが本体部２と接続されるように設けられていてもよい。また、操作部は、本体部に対して＋Ｙ方向側又は−Ｙ方向側に設けられていてもよく、＋Ｚ方向側又は−Ｚ方向側に設けられていてもよい。すなわち、本体部に対する操作部の位置は問わない。
【００９８】
上記各実施形態では、本体部２と操作部３，４の間に、隙間Ｇ１，Ｇ２が形成されているとした。しかしながら、本発明はこれに限らない。例えば、隙間Ｇ１，Ｇ２は無くてもよい。また、当該隙間Ｇ１，Ｇ２のうち、腕部２６１，２７１に対して＋Ｙ方向側の隙間は無くてもよい。すなわち、本体部２と操作部３，４の間に隙間が形成される場合には、これらの接続部としての腕部２６１，２７１に対する第１当接部ＣＰ１側に隙間が形成されればよい。例えば、上記のように、把持部が薬指及び小指と拇指球とによって把持される構成である場合には、本体部と操作部とを接続する接続部に対して、把持部において薬指又は小指が当接される当接部側に隙間が形成されていればよい。また、例えば、把持部が、親指と人差し指及び中指とによって把持される構成である場合には、当該接続部に対して、把持部において人差し指又は中指が当接される当接部側に隙間が形成されていればよい。
【００９９】
上記各実施形態では、振動を発生させる振動子として、モーター３３を備える構成とした。しかしながら、本発明はこれに限らない。例えば、ソレノイド等のアクチュエーターを採用してもよい。すなわち、振動を発生させる振動子の構成は、他の構成でもよい。
【０１００】
上記各実施形態では、外装構成部３２、３２Ａ，３２Ｂ，３２Ｃは、本体部２の筐体本体２５から延出する右側延出部２６に接続される（取り付けられる）とした。しかしながら、本発明はこれに限らない。例えば、筐体本体２５及び腕部２６１が一体化され、別体である配置部２６２が、当該腕部２６１に取り付けられる構成であってもよい。また、腕部２６１及び配置部２６２が一体化され、当該腕部２６１が筐体本体２５に取り付けられる構成であってもよい。すなわち、外装構成部が接続される操作部側筐体の一部と、本体部側筐体の一部とは一体的に形成されていなくてもよい。左側操作部４においても同様である。
【０１０１】
上記第１実施形態では、隙間Ｇ３は、外装構成部３２において本体部２側である−Ｘ方向側の端縁３２Ｌと、当該端縁３２Ｌに−Ｚ方向に対向する腕部２６１との間に形成されるとした。しかしながら、本発明はこれに限らない。すなわち、外装構成部３２と右側延出部２６との接触面積が小さくなれば、これら外装構成部３２と右側延出部２６との間に形成される隙間の位置は、どこでもよい。他の外装構成部３２Ａ〜３２Ｃにおいても同様である、左側操作部４においても同様である。
【０１０２】
上記各実施形態では、把持部ＧＰＲ，ＧＰＬは、外装構成部３２，３２Ａ〜３２Ｃ，４２に設けられるとした。しかしながら、本発明はこれに限らない。すなわち、把持部の少なくとも一部は、右側延出部２６又は左側延出部２７によって形成されていてもよい。
上記各実施形態では、それぞれ入力部としてのアナログコントローラーＢＣ１及び各ボタンＢＣ２〜ＢＤ４，ＢＣ６は、配置部２６２，２７２に位置するとした。しかしながら、本発明はこれに限らない。例えば、外装構成部３２，３２Ａ〜３２Ｃ，４２にボタン等を含む入力部が設けられていてもよい。
【０１０３】
上記各実施形態では、振動子としてのモーター３３のモーター本体３３１と、配置部２６２及び外装構成部３２との間は、介装部材Ｍ１，Ｍ２により埋められて、これらが密着されるとした。しかしながら、本発明はこれに限らない。例えば、モーター本体３３１は、接着剤によって配置部２６２及び外装構成部３２と密着していてもよい。すなわち、振動子を安定して保持でき、当該振動子の駆動によって生じる振動を配置部２６２及び外装構成部３２に安定して伝導できれば、介装部材Ｍ１，Ｍ２は無くてもよい。他の外装構成部３２Ａ〜３２Ｃを有する右側操作部３や、左側操作部４においても同様である。
【０１０４】
上記各実施形態では、端縁３２Ｌと腕部２６１との間には隙間Ｇ３が形成されるとし、端縁４２Ｒと腕部２７１との間には隙間Ｇ４が形成されるとした。これら隙間Ｇ３，Ｇ４には、防塵等の為の樹脂が設けられていてもよい。すなわち、外装構成部３２，３２Ａ〜３２Ｄから腕部２６１に伝導される振動が、端縁３２Ｌと腕部２６１とが接続されている場合に比べて少なくなればよい。左側操作部４においても同様である。
【０１０５】
上記第２〜第４実施形態では、上記第１実施形態と同様に、外装構成部３２Ａ〜３２Ｃにおける−Ｘ方向側の端縁と、右側延出部２６との間には隙間Ｇ３が形成され、当該端縁と右側延出部２６及び筐体本体２５とは接続されないとした。しかしながら、本発明はこれに限らない。例えば、上記第２〜第４実施形態にて示した構成では、外装構成部３２Ａ〜３２Ｃにおいて右側延出部２６と対向する面は、当該右側延出部２６と接続されていてもよい。左側操作部４においても同様である。
【０１０６】
上記各実施形態では、右側操作部３は、右手ＲＨの薬指ＲＨ４及び小指ＲＨ５と拇指球ＲＨ６とによって挟持されて把持される構成とされ、左側操作部４は、左手ＬＨの薬指ＬＨ４及び小指ＬＨ５と拇指球ＲＨ６とによって挟持されて把持される構成とされた。しかしながら、本発明はこれに限らない。すなわち、操作部は、対応する手の２本の指と当該手における所定の部位とによって挟持されて把持される構成であれば、当該２本の指は、どの指であってもよく、当該所定の部位は、拇指球に限らず他の部位であってもよい。例えば、操作部は、中指及び薬指と拇指球又は親指とによって把持されてもよい。左側操作部４においても同様である。
【０１０７】
上記第２実施形態では、外装構成部３２Ａは、弾性材料により形成されて弾性部として機能する外郭部３２Ａ１と、所定の剛性を有する内郭部３２Ａ２と、を備える構成とした。しかしながら、本発明はこれに限らない。例えば、外装構成部は、当該外郭部３２Ａ１のみ備える構成としてもよく、外郭部３２Ａ１が、正面部及び背面部をそれぞれ構成する複数の部材によって構成されていてもよい。また、外装構成部３２Ａが、外装構成部３２Ｂのように、少なくとも１つの付勢部材を備える構成としてもよい。左側操作部４においても同様である。
【０１０８】
上記第３実施形態では、外装構成部３２Ｂは、２つの付勢部材３２Ｂ８，３２Ｂ９を有する構成とした。しかしながら、本発明はこれに限らない。すなわち、外装構成部３２Ｂが有する付勢部材の数は、１つであってもよく、３以上であってもよい。例えば、外装構成部が、薬指及び小指と拇指球とによって挟持される構成である場合には、薬指、小指及び拇指球が当接される範囲に、複数の付勢部材を分散して配置してもよい。左側操作部４においても同様であり、上記第４実施形態における調整部材としてのねじについても同様である。また、付勢部材及び調整部材の配置位置は、第１当接部ＣＰ１と第３当接部ＣＰ３との間、及び、第２当接部ＣＰ２と第３当接部ＣＰ３との間でなくてもよい。
【０１０９】
上記第４実施形態では、外装構成部３２Ｃは、正面部３２Ｃ１及び背面部３２Ｃ６を有し、当該正面部３２Ｃ１は、弾性材料により構成され、当該背面部３２Ｃ６は、合成樹脂等により形成されて所定の剛性（強度）を有するとした。しかしながら、本発明はこれに限らない。例えば、正面部３２Ｃ１及び背面部３２Ｃ６が、それぞれ同じ材料により構成されていてもよく、異なる材料であってもそれぞれ同様の剛性又は弾性を有する構成としてもよい。左側操作部４においても同様である。
【０１１０】
上記第４実施形態では、調整部材としてねじＳＣ１，ＳＣ２により、正面部３２Ｃ１及び背面部３２Ｃ６における上記寸法Ｌ１，Ｌ２を調整した。しかしながら、本発明はこれに限らない。すなわち、寸法Ｌ１，Ｌ２が調整された後に正面部３２Ｃ１及び背面部３２Ｃ６を固定できれば、調整部材は他の構成を有していてもよい。
【０１１１】
上記各実施形態では、背面部３１２，４１２には、薬指及び小指が当接される位置に凹部３１２１，３１Ａ１，３１Ｂ１，３１Ｃ１が形成されるとした。しかしながら、本発明はこれに限らない。例えば、薬指及び小指のそれぞれに応じて凹部が形成されてもよく、このような凹部は無くてよい。
【０１１２】
上記各実施形態では、本体部２は、表示部２１、音声出力部２２、制御部２３及び筐体２４を有するとした。しかしながら、本発明はこれに限らない。例えば、表示部２１及び音声出力部２２は、無くてもよい。また、表示部２１の有無に依らずに、タッチパネルＴＰは、設けられていても無くてもよい。更に、表示部２１及びタッチパネルＴＰのサイズは、上記サイズに限らず、適宜変更可能である。
【符号の説明】
【０１１３】
１，１Ａ，１Ｂ，１Ｃ…情報処理装置（操作装置）、２…本体部、２６１，２７１…腕部（接続部）、３…右側操作部（操作部）、４…左側操作部（操作部）、３１，３１Ａ，３１Ｂ，３１Ｃ，４１…筐体（操作部側筐体）、３１Ａ１，３１Ｂ１，３１Ｃ１…凹部、３２Ａ１…外郭部（弾性部）、３２Ｂ８…付勢部材（第１付勢部材）、３２Ｂ９…付勢部材（第２付勢部材）、３２Ｃ１…正面部（第１側面部、他方の側面部）、３２Ｃ６…背面部（第２側面部、一方の側面部）、ＡＰ１，ＡＰ２，ＡＰ３…調整部、ＢＣ１…アナログコントローラー（入力部）、ＢＣ２〜ＢＣ５…ボタン（入力部）、ＢＣ６…方向ボタン（入力部）、ＣＰ１…第１当接部、ＣＰ２…第２当接部、ＣＰ３…第３当接部、Ｇ１，Ｇ２…隙間、ＧＰＲ，ＧＰＬ…把持部、Ｌ１…寸法（第１寸法）、Ｌ２…寸法（第２寸法）、ＲＨ１…親指、ＬＨ４，ＲＨ４…薬指、ＬＨ５，ＲＨ５…小指、ＬＨ６，ＲＨ６…拇指球、ＳＣ１…ねじ（調整部材、第１調整部材）、ＳＣ２…ねじ（調整部材、第２調整部材）。
【図１】
0006594696.tif 000002
【図２】
0006594696.tif 000003
【図３】
0006594696.tif 000004
【図４】
0006594696.tif 000005
【図５】
0006594696.tif 000006
【図６】
0006594696.tif 000007
【図７】
0006594696.tif 000008
【図８】
0006594696.tif 000009
【図９】
0006594696.tif 000010
【図１０】
0006594696.tif 000011
【図１１】
0006594696.tif 000012
【図１２】
0006594696.tif 000013
【図１３】
0006594696.tif 000014
【図１４】
0006594696.tif 000015
【図１５】
0006594696.tif 000016
【図１６】
0006594696.tif 000017